(57)【要約】ヘルメット及びチンバーを備える自転車のヘルメットシステムが開示される。チンバーはヘルメットに取り外し可能に連結され、ヘルメットの一部分を円周方向に包み込む。チンバーは、ヘルメットの周囲でチンバーを締めるように構成された背部バックルを含み得る。チンバーはまた、チンバーがヘルメットに取り外し可能に連結されたとき、ヘルメット上の側部凹みに係合する、２つの側部バックルを含み得る。チンバーはまた、チンバーがヘルメットに取り外し可能に連結されたとき、ヘルメット上の位置合わせ凹みと係合するように配置された、２つの位置合わせ突出部を含み得る。
2017507258.tif 000002
【特許請求の範囲】
【請求項１】
マウンテンバイク用ヘルメットシステムであって、
ヘルメットと、
前記ヘルメットに取り外し可能に連結され、前記ヘルメットの一部分を円周方向に包み込むチンバーと、を備える、マウンテンバイク用ヘルメットシステム。
【請求項２】
前記チンバーが、前記ヘルメットの底部部分を円周方向に包み込み、前記チンバーが、前記ヘルメットの周囲で円周方向に前記チンバーを締めるように構成された背部連結具を備える、請求項１に記載のマウンテンバイク用ヘルメットシステム。
【請求項３】
前記背部連結具が、背部バックルを含む、請求項２に記載のマウンテンバイク用ヘルメットシステム。
【請求項４】
前記チンバーが、前記ヘルメットの底部部分を円周方向に包み込み、前記チンバーが、前記ヘルメットの周囲で円周方向に前記チンバーと連結するように構成された２つの対向する側部連結具を備える、請求項１に記載のマウンテンバイク用ヘルメットシステム。
【請求項５】
前記２つの対向する側部連結具が、２つの対向する側部バックルを含み、前記２つの対向する側部バックルのそれぞれの一部分は、前記対応するバックルが前記ヘルメットの周囲で円周方向に前記チンバーと連結する閉鎖位置にあるとき、前記ヘルメット上の２つの側部凹みのうちの異なる１つと係合する、請求項４に記載のマウンテンバイク用ヘルメットシステム。
【請求項６】
前記ヘルメットが、２つの前部受容部を更に備え、前記２つの対向する側部バックルのそれぞれが、前記対応するバックルが前記閉鎖位置にあるとき、前記ヘルメット上の前記２つの前部受容部の異なる前部受容部と係合するフックを更に備える、請求項５に記載のマウンテンバイク用ヘルメットシステム。
【請求項７】
前記チンバーが、前記ヘルメット上の２つの位置合わせ凹みと係合する２つの位置合わせ突出部を更に備える、請求項６に記載のマウンテンバイク用ヘルメットシステム。
【請求項８】
前記ヘルメットが２つの成形熱可塑性の下部構成要素を更に備え、前記２つの成形熱可塑性の下部構成要素のそれぞれが、前記２つの側部凹みのうちの異なる１つ及び前記２つの位置合わせ凹みのうちの異なる１つを囲んでいる、請求項７に記載のマウンテンバイク用ヘルメットシステム。
【請求項９】
マウンテンバイク用ヘルメットのためのチンバーであって、
マウンテンバイク用ヘルメットの開放前部の一部分を覆うように構成された前部部分と、
前記マウンテンバイク用ヘルメットの一部分を覆うように構成された後部部分と、
前記チンバーを前記マウンテンバイク用ヘルメットに連結するように構成された１つ以上の連結具であって、前記１つ以上の連結具が前記チンバーを前記マウンテンバイク用ヘルメットに連結し、前記チンバーが前記マウンテンバイク用ヘルメットを円周方向に包み込むとき、前記チンバーが連続するループを形成するように構成されている、１つ以上の連結具と、を備える、マウンテンバイク用ヘルメットのためのチンバー。
【請求項１０】
前記１つ以上の連結具が、前記チンバーの前記後部部分上の背部連結具を少なくとも含み、前記背部連結具が、開放位置と前記チンバーの円周を低減する閉鎖位置との間で動作可能である、請求項９に記載のチンバー。
【請求項１１】
前記背部連結具が背部バックルを含む、請求項１０に記載のチンバー。
【請求項１２】
前記１つ以上の連結具が２つの側部連結具を更に含み、前記２つの側部連結具のそれぞれ１つが前記マウンテンバイク用ヘルメット上の異なる側部凹みと係合するように構成されている、請求項１１に記載のチンバー。
【請求項１３】
前記２つの側部連結具が２つの側部バックルを含み、前記２つの側部バックルのそれぞれ１つが、異なる側部凹みと係合するように構成された基部と、開放位置と閉鎖位置との間で動作可能なレバーと、前記開放位置から前記閉鎖位置への前記レバーの移動が前記フックを前記基部のより近くへ引き付けるように前記レバーと動作可能に連結されたフックとを備え、前記フックが、前記レバーが前記閉鎖位置にあるとき前記マウンテンバイク用ヘルメット上の前部受容部と係合するように構成されている、請求項１２に記載のチンバー。
【請求項１４】
前記チンバーの前記後部部分上に２つの位置合わせ突出部を更に備え、前記位置合わせ突出部が、前記マウンテンバイク用ヘルメット上の２つの位置合わせ凹みと係合するように配置かつ構成されている、請求項１３に記載のチンバー。
【請求項１５】
マウンテンバイク用ヘルメットシステムであって、
外側表面、２つの側部凹み、及び２つの位置合わせ凹みを備えるヘルメットと、
前記ヘルメットの前記外側表面上の２つの成形熱可塑性の下部構成要素と、を備え、前記２つの成形熱可塑性の下部構成要素のそれぞれが、前記２つの側部凹みのうちの異なる１つ及び前記２つの位置合わせ凹みのうちの異なる１つを囲んでいる、マウンテンバイク用ヘルメットシステム。
【請求項１６】
前記ヘルメットと取り外し可能に連結され、前記ヘルメットの一部分を円周方向に包み込むように構成されたチンバーを更に備える、請求項１５に記載のマウンテンバイク用ヘルメットシステム。
【請求項１７】
前記チンバーが前記ヘルメットの底部部分を円周方向に包み込み、前記チンバーが、該チンバーを前記ヘルメットの周囲で円周方向に締めるように構成された背部バックルを備える、請求項１６に記載のマウンテンバイク用ヘルメットシステム。
【請求項１８】
２つの対向する側部バックルを更に備え、前記２つの対向する側部バックルのそれぞれの基部は、前記対応するバックルが閉鎖位置にあり、前記チンバーが前記ヘルメットの周囲で円周方向に連結されるとき、前記２つの側部凹みのうちの異なる１つと係合する、請求項１７に記載のマウンテンバイク用ヘルメットシステム。
【請求項１９】
前記ヘルメットが２つの前部受容部を更に備え、前記２つの対向する側部バックルのそれぞれは、前記対応するバックルが前記閉鎖位置にあるとき、前記ヘルメット上の前記２つの前部受容部のうちの異なる１つと係合するフックを更に備える、請求項１８に記載のマウンテンバイク用ヘルメットシステム。
【請求項２０】
前記チンバーが、該チンバーが前記ヘルメットの周囲で円周方向に連結されたとき、前記２つの位置合わせ凹みと係合するように配置された２つの位置合わせ突出部を更に備える、請求項１９に記載のマウンテンバイク用ヘルメットシステム。
【発明の詳細な説明】
【技術分野】
【０００１】
（関連出願の相互参照）
本文書は、２０１４年３月７日に出願された、Ｅｌｌｉｓｏｎヘの「ＥＮＤＵＲＯ  ＭＯＵＮＴＡＩＮ  ＢＩＫＩＮＧ  ＣＨＩＮ  ＢＡＲ」と題する、米国仮特許出願第６１／９４９，５３４号の出願日の利益を主張し、その内容は参照によって本明細書に組み込まれる。
【０００２】
（発明の分野）
本文書の態様は概してマウンテンバイク用ヘルメットに関する。
【背景技術】
【０００３】
長距離耐久マウンテンバイク競技は、比較的新しいマウンテンバイクレースの形式である。その形式は、時間制限のあるダウンヒル及び時間制限のないアップヒルを含む複数のステージを含む。最も短い所要時間を有する競技者が優勝する。現在では乗り手の多くがフルフェイスヘルメットを着用する、つまり、ヘルメットはチンバーを有している。
【０００４】
長距離耐久マウンテンバイク競技は、純粋なダウンヒル種目ほどには技術的な要求が厳しくなく、ダウンヒル部分は危険が少し少ないため、ダウンヒル認定のヘルメットは必要とされない。しかし多くの乗り手は、全てのダウンヒル認定ヘルメットに見られる付加された安全機能、特にチンバーのために、ダウンヒル認定又はフルフェイスヘルメットを着用することを選ぶ。概して、ダウンヒル認定ヘルメットは自転車／マウンテンバイク認定ヘルメットよりも重い。ダウンヒル認定ヘルメットの付加された重量に加えて、低減された通気口の数及びフルフェイスの囲みのため、それらは着用すると一般的により暑い。
【０００５】
ダウンヒル認定ヘルメットは、乗り手がアップヒルに差し掛かったとき大きな負担となり得る。重量及び熱の蓄積が、登っているときに乗り手のエネルギー及び速度に負担をかけ得る。長距離耐久のアップヒル部分は制限時間がないにもかかわらず、乗り手は依然として終了時間の前にダウンヒルの頂上に着く必要があり、ダウンヒルの物理的かつ精神的要求を満たすための持久力を有する必要がある。乗り手が時間制限のある部分の頂上／出発点に着くために多くのエネルギーを消耗しなければならない場合、全体の順位に関係する部分のためのエネルギーは、「タンク」にはほとんど残っていないであろう。
【０００６】
時間制限のある部分にできるだけ早く下ることに加え、乗り手は彼らが安全にゴールに到達するであろうことを知る自信を持つことを望む。ダウンヒルは手際を要し、事故が起こる。乗り手は事故の場合にも安全であることを望む。チンバーを有することは保護の追加要素を供給し、乗り手に自信を与える。
【０００７】
前述の理由のため、乗り手によって予期される又は直面する環境及び状況に応じて、チンバーあり又はなしで乗り手が同じヘルメットを付けて乗車することを可能にする、取り外し可能なチンバーを含む多くのヘルメット設計が市場において作り出されている。例えば１つのヘルメットは、チンバーをヘルメットに固定するねじ回し、六角レンチ、又は他の駆動装置などの工具を用いてヘルメットに取り付け可能又はヘルメットから脱着可能に取り外されるチンバー上のボルトを含む。ボルトで固定されたチンバーは、使用者がヘルメットに取り付ける又はヘルメットから取り外すために非常に時間がかかって扱いにくい場合があり、工具の不要なプラスチック製結合部などの他の脱着可能なチンバー設計よりも、チンバーを取り外す及び取り換えるためにより長い時間を必要とし得る。
【０００８】
別のマウンテンバイク用ヘルメットは、工具の使用なしでヘルメットの頂部部分に下から取り付ける又は差し込むチンバーを含む。取り付け可能／脱着可能なチンバーは、留め金又はフランジを用いてヘルメットに取り付けられ、この留め金又はフランジは、留め金又はフランジを受容するように構成された受け口又はスリーブ内に挿入される。チンバーは、２つの柔軟な留め金又はボタンを押すこと又は係合することによって、ヘルメットから取り外す又は解放することができる。留め金が押されると、チンバーが下方へスライドしヘルメットから離れ得る。別のバイク用ヘルメットは、下からヘルメットに差し込むチンバーを含み、２つのボタンを係合することによってヘルメットから解放され得る。
【発明の概要】
【発明が解決しようとする課題】
【０００９】
これらのヘルメット設計は、それらに対応するチンバーの取り付け及び脱着を可能にする一方で、主としてプラスチック製結合部に依存している。これらのヘルメット設計へのチンバーの取り付けのための、垂直方向の位置合わせ特徴の使用は、チンバーの取り付け又は脱着を可能にするために、ヘルメット上のプラスチック製結合部とチンバーの位置を合わせることが、特に使用者がヘルメットを着用しているとき、使用者にとって困難になり得る。レースのアップヒル部分及びダウンヒル部分の間などの、レースの異なる部分のためにチンバーを取り付ける及び脱着する長距離耐久レースの特徴及び乗り手の要求によって、これらのヘルメットでチンバーをヘルメットと位置合わせする難しさは、乗り手にとって不便であり望ましくない。加えて、これら従来の取り外し可能なチンバーヘルメット設計は、ヘルメット及びチンバーの側部又は下部の衝撃などの、正面からではない衝撃への限定された抵抗を有するチンバーを提供する。
【課題を解決するための手段】
【００１０】
１つの態様において、マウンテンバイク用ヘルメットシステムは、ヘルメットと、ヘルメットに取り外し可能に連結され、ヘルメットの一部分ｎを円周方向に包み込むチンバーとを備え得る。
【００１１】
マウンテンバイク用ヘルメットシステムの１つ以上の特定の実施形態は、下記の特徴のうちの１つ以上を含み得る。チンバーはヘルメットの底部部分を円周方向に包み込んでもよく、チンバーは、チンバーをヘルメットの周囲で円周方向に締めるように構成された背部連結具を備える。背部連結具は背部バックルを含み得る。チンバーはヘルメットの底部部分を円周方向に包み込んでもよく、チンバーはチンバーをヘルメットの周囲で円周方向に連結するように構成された２つの対向する側部連結具を備える。２つの対向する側部連結具は、２つの対向する側部バックルを含んでもよく、２つの対向する側部バックルのそれぞれの一部分は、対応するバックルがヘルメットの周囲で円周方向にチンバーと連結する閉鎖位置にあるとき、ヘルメット上の２つの側部凹みのうちの異なる１つと係合する。ヘルメットは、２つの前部受容部を更に備えてもよく、２つの対向する側部バックルのそれぞれが、対応するバックルが閉鎖位置にあるとき、ヘルメット上の２つの前部受容部のうちの異なる前部受容部と係合するフックを更に備える。チンバーは、ヘルメット上の２つの位置合わせ凹みと係合する２つの位置合わせ突出部を更に備える。ヘルメットは、２つの成形熱可塑性の下部構成要素を更に備えてもよく、２つの成形熱可塑性の下部構成要素のそれぞれが、２つの側部凹みのうちの異なる１つ及び２つの位置合わせ凹みのうちの異なる１つを囲んでいる。
【００１２】
別の態様において、マウンテンバイク用ヘルメットのためのチンバーは、マウンテンバイク用ヘルメットの開放前部の一部分を覆うように構成された前部部分と、マウンテンバイク用ヘルメットの一部分を覆うように構成された後部部分と、チンバーをマウンテンバイク用ヘルメットに連結するように構成された１つ以上の連結具であって、１つ以上の連結具がチンバーをマウンテンバイク用ヘルメットに連結し、チンバーがマウンテンバイク用ヘルメットを円周方向に包み込むとき、チンバーが連続するループを形成するように構成されている、１つ以上の連結具とを備え得る。
【００１３】
マウンテンバイク用ヘルメットのためのチンバーの１つ以上の特定の実施形態は、下記の特徴のうちの１つ以上を含み得る。１つ以上の連結具は、チンバーの後部部分上の背部連結具を少なくとも含み、この背部連結具は開放位置とチンバーの円周を低減する閉鎖位置との間で動作可能である。背部連結具は背部バックルを含み得る。１つ以上の連結具は２つの側部連結具を更に含んでもよく、２つの側部連結具のそれぞれ１つはマウンテンバイク用ヘルメット上の異なる側部凹みと係合するように構成されている。２つの側部連結具は２つの側部バックルを含み得、２つの側部バックルのそれぞれ１つが、異なる側部凹みと係合するように構成された基部と、開放位置と閉鎖位置との間で動作可能なレバーと、開放位置から閉鎖位置へのレバーの移動がフックを基部のより近くへひき付けるように、レバーに動作可能に連結されたフックとを備え、レバーは、閉鎖位置にあるときマウンテンバイク用ヘルメット上の前部受容部と係合するように構成されている。チンバーの後部部分上の２つの位置合わせ突出部であって、マウンテンバイク用ヘルメット上の２つの位置合わせ凹みと係合するように配置され構成されている、位置合わせ突出部。
【００１４】
別の態様において、マウンテンバイク用ヘルメットシステムは外側表面、２つの側部凹み、及び２つの位置合わせ凹みを備えるヘルメットと、ヘルメットの外側表面上の２つの成形熱可塑性の下部構成要素とを備えてもよく、２つの成形熱可塑性の下部構成要素のそれぞれは、２つの側部凹みのうちの異なる１つ及び２つの位置合わせ凹みのうちの異なる１つを囲んでいる。
【００１５】
マウンテンバイク用ヘルメットシステムの１つ以上の特定の実施形態は、下記の特徴のうちの１つ以上を含み得る。チンバーは、ヘルメットに取り外し可能に連結され、ヘルメットの一部分を円周方向に包み込むように構成されている。チンバーはヘルメットの底部部分を円周方向に包み込んでもよく、チンバーは、チンバーをヘルメットの周囲で円周方向に締めるように構成された背部バックルを備える。２つの対向する側部バックルであって、対応するバックルが閉鎖位置にあり、チンバーがヘルメットの周囲で円周方向に連結されるとき、２つの対向する側部バックルのそれぞれの基部が２つの側部凹みのうちの異なる１つと係合し得る、２つの対向する側部バックル。ヘルメットは２つの前部受容部を更に備えてもよく、２つの対向する側部バックルのそれぞれが、対応するバックルが閉鎖位置にあるとき、ヘルメット上の２つの前部受容部のうちの異なる１つと係合するフックを更に備え得る。チンバーは、チンバーがヘルメットの周囲で円周方向に連結されたとき、２つの位置合わせ凹みと係合するように配置された２つの位置合わせ突出部を更に備え得る。
【００１６】
前述及び他の態様、特徴、並びに利点は、当業者には発明を実施するための形態、及び図面の簡単な説明、並びに特許請求の範囲から、明らかであろう。
【図面の簡単な説明】
【００１７】
これより本発明は、添付の図面と併せて説明され、図面において、同様の名称が同様の要素を示す。
【図１】マウンテンバイク用ヘルメットシステムの側部斜視図である。
【図２】マウンテンバイク用ヘルメットシステムの背面斜視図である。
【図３】マウンテンバイク用ヘルメットシステムの分解図である。
【図４】マウンテンバイク用ヘルメットの側部斜視図である。
【図５】開放位置にある側部バックルの側部斜視図である。
【図６】開放位置にあるチンバーの背部バックルの背面図である。
【発明を実施するための形態】
【００１８】
本開示、その態様、及び実装例は、本明細書で開示される特定の構成要素又は組立手順に限定されるものではない。長距離耐久マウンテンバイク用チンバーのための意図された運用及び／又は組立手順と合致する、当技術分野で既知の多くの追加の構成要素及び組立手順が、長距離耐久マウンテンバイク用チンバーの実装例と共に使用するために本開示から明らかになるであろう。したがって、例えば特定のヘルメット及びチンバーが開示されるが、かかるヘルメット及びチンバー並びに実装される構成要素は、長距離耐久マウンテンバイク用チンバーの意図された運用と合致する、かかるヘルメット及び長距離耐久マウンテンバイク用チンバー並びに実装される構成要素のための当技術分野で既知の任意の形状、大きさ、様式、類型、モデル、版、寸法、濃度、材料、量、及び／又は同等物を含み得る。
【００１９】
付属のチンバーを有するダウンヒル認定ヘルメットを用いた乗車及びチンバーを全く用いない乗車の両方から生じる長距離耐久マウンテンバイク競技における多くの欠点及び危険を克服する、取り外し可能なチンバーが本明細書で開示される。加えて、本明細書で開示される取り外し可能なチンバーの実施形態は従来の取り外し可能なチンバーヘルメットに改良を加える。
【００２０】
図１は、ヘルメット４の周囲で円周方向に取り外し可能に連結されたチンバー２０を備えるマウンテンバイク用ヘルメットシステム２の非限定的な実施形態の斜視図を描写する。いくつかの態様に従って、取り外し可能なチンバー２０は乗り手が、典型的にはダウンヒル認定ヘルメットよりも軽く、ほとんど常により通気されている自転車認定ヘルメット４を着用することを可能にし、長距離耐久種目のアップヒル部分のために容易に取り外しできるチンバー２０の更なる保護を有する。容易な取り外しに加えて、チンバー２０はまた、時間制限のあるダウンヒル部分の開始前に、ヘルメット４上に容易に戻すことができる。いくつかの態様に従って、チンバー２０は乗り手が着用しているヘルメット４に取り付ける又そこから取り外すことができ、それは乗り手がチンバー２０を取り外す又は取り換えるためにヘルメット４を脱ぐ必要がないことを意味する。一部の乗り手は現在、長距離耐久レースのために２つのヘルメット、つまりアップヒル部分用の自転車ヘルメット及びダウンヒル部分用のフルフェイスヘルメットを携行している。本開示において意図されるマウンテンバイク用ヘルメットシステムの１つ以上の実施形態は、長距離耐久種目のために２つのヘルメットを携行する必要性を排除する。
【００２１】
いくつかの実施形態において、取り外し可能なチンバー２０は、自転車認定ヘルメットとの使用に適合され得る単体の構成要素である。より特定の実施形態において、取り外し可能なチンバー２０は、本開示の取り外し可能なチンバー２０との使用を特に意図しているヘルメット４を含む。かかるヘルメットは、好ましくは自転車認定ヘルメット又はマウンテンバイク認定ヘルメットである。いくつかの態様に従って、ヘルメット４は、ヘルメット４の周囲に配置され、ヘルメット４を通って延在する複数の通気穴８を備える。通気穴８は、ヘルメット４の外側表面１０上の角度を有する縁によって囲まれ得る。いくつかの実施形態において、複数の通気穴８の中には、１つ以上の側部通気孔及び１つ以上の位置合わせ通気孔（図４に示される）があり得る。以下でより詳細に説明されるように、１つ以上の側部凹み１６及び１つ以上の位置合わせ凹み１４は、チンバー２０上の１つ以上の側部バックル２６及び１つ以上の位置合わせ突出部３８に対応するように戦略的に配置され得る。ヘルメット４の実施形態は、当技術分野で一般的に既知であるような、開放前部３、ひさし６、及び／又はヘルメットストラップ（図示せず）を更に備え得る。
【００２２】
１つ以上の実施形態において、取り外し可能なチンバー２０はヘルメット４の周囲で円周方向に取り外し可能に連結される。図２において描写される非限定的な実施形態のような、より特定の実施形態において、取り外し可能なチンバー２０はヘルメット４の底部部分１７に円周方向に取り外し可能に連結される。しかし、チンバー２０は、ヘルメット４の底部部分１７又は基部を包み込む必要はない。別の方法としては、例えばチンバー２０は、ヘルメット４の「赤道」において、又はヘルメット４の後部の頂部周囲と底部周囲との間の任意の場所で、ヘルメット４を包み込むことができる。いくつかの態様に従って、チンバー２０は前部部分２２及び後部部分２４を備える。前部部分２２及び後部部分は互いに連結し得る又は単一の部品として一体成形される。
【００２３】
１つ以上の実施形態において、取り外し可能なチンバー２０は、取り外し可能なチンバーの円周を低減するように構成された少なくとも１つの背部連結具を備える。図２で描写される非限定的な実施形態において、取り外し可能なチンバー２０は、閉鎖位置にあるとき、取り外し可能なチンバー２０の円周を低減するように構成された背部バックル３２を備える。少なくとも１つの背部バックル３２は、好ましくは取り外し可能なチンバー２０の後部部分２４の中心に位置する。背部バックル３２は、取り外し可能なチンバー２０をヘルメット４に取り外し可能に連結するために使用される。背部バックル３２を閉じることによって、取り外し可能なチンバー２０の円周が低減されたとき、チンバー２０はヘルメット４を包み込み、ヘルメット４に固定される。他の実施形態において、少なくとも１つの背部連結具は、取り外し可能なチンバー２０の円周を低減するように構成された当技術分野で既知の任意の連結具を含み得る。
【００２４】
ヘルメット４をチンバー２０で円周方向に包み込むことによって、チンバーは変形しにくくなり、エネルギー吸収及びエネルギー管理に関して、取り外し可能なチンバーのために以前に使用されていた、ヘルメットの側部に単にクリップで留める設計よりもより堅牢になる。意味深いことには、しっかりと取り付けられたチンガードがヘルメットに対するチンバーの回転及び移動を低減するために、ヘルメット上に作用する力又は側部衝撃がより良好に吸収及び管理され、それによりヘルメット着用者により良好な保護を提供する。
【００２５】
いくつかの態様に従って、チンバー２０は１つ以上の側部連結具を更に備える。より具体的には、チンバー２０は、図１〜３の非限定的な実施形態において描写されるように１つ以上の側部バックル２６を備え得る。１つ以上の実施形態において、側部バックル２６はチンバー２０をヘルメット４に固定するためにヘルメット４内の側部凹み１６内にロックされ得る。側部凹み１６は、ヘルメット４の外側表面１０上の任意の陥凹、チャネル、溝、通気孔、又は他の細目を備え得る。いくつかの実施形態において、側部凹み１６はヘルメット４上の複数の通気孔８の通気孔を備える。側部バックル２６は背部バックル３２の代替として又はそれに追加して使用され得る。側部バックル２６がヘルメット４にどのように着脱可能に連結され得るかに関する特定の非限定的な実施形態が、以下でより詳細に説明される。特に、側部バックル２６又は側部凹み１６の位置におけるチンバー２０とヘルメット４との連結は、エネルギーを維持するため及び前部衝撃と同様に側部衝撃の間のチンバー２０の相対移動を防ぐために、チンバー２０を前後方向にロックできる。
【００２６】
チンバー２０をヘルメット４に固定するためのバックル又は他の可動機械式締結具の使用に加えて、１つ以上の位置合わせ突出部３８又は細目などの他の特徴が使用され得る。図３は、位置合わせ突出部３８を備えるチンバー２０の非限定的な実施形態から分離された、ヘルメット４の非限定的な実施形態を描写する。位置合わせ突出部３８は、位置合わせ凹み１４への係合によってぴったり合う又はしっかりとした適合を提供し得、またヘルメット４に取り外し可能に連結されたチンバー２０との間の相対移動を低減する。位置合わせ凹み１４は、ヘルメット４の外側表面１０上の任意の陥凹、チャネル、溝、通気孔、又は他の細目を備え得る。いくつかの実施形態において、位置合わせ凹み１４はヘルメット４上の複数の通気孔８の通気孔を備える。これは、より堅牢であるヘルメット４とチンバー２０との間の境界面及び相互接続を提供する。位置合わせ突出部３８は、チンバー２０をヘルメット４に係合させるための可動部品には依存していないが、代わりにヘルメット４とチンバー２０との間の相対位置を維持するための摩擦適合を提供するように互いに接触するために、互いの実質的な鏡像を有する相補的又は嵌め合い部品に依存している。１つの位置合わせ突出部３８が位置合わせ凹み１４と共に示されているが、任意の数の位置合わせ突出部３８が、ヘルメット４及びチンバー２０の構造及び設計に従って、ヘルメット４の任意の部分に沿って含まれ得る。位置合わせ凹み１４の位置における、チンバー２０とヘルメット４との間の位置合わせ及び係合は、チンバーの縦回転を防ぐことを助け、前部頂部及び前部底部の衝撃に対して保護する。位置合わせ突出部は側部バックル２６に関して説明されるものに類似した歯を備えてもよく、及び／又は位置合わせ突出部３８が側部バックル２６に関して説明されるものに似ているバックルを備え得ることが更に考えられる。
【００２７】
ここで図２に戻ると、背部バックル３２は、チンバー２０の円周を減少させるため及びチンバー２０にヘルメット４とのぴったり合った接触をもたらすために、対向する終端３３（図６に示される）又はチンバー４の部分を、互いに越えて又は互いの隣接に移動させることによって、取り外し可能なチンバー２０の後部部分２４をヘルメット４の周囲できつく引き締めるために使用され得る。図６は、２つの終端３３が互いに分離した開放位置にあるチンバー２０の背部バックル３２の非限定的な実施形態を描写する。いくつかの態様に従って、背部バックル３４は、レバー３４と、第１の終端３３の近位に連結されたフック３６と、第２の終端３３に近位のラッチ３７とを備える。運用中、フック３６はラッチ３７と係合し、次いでチンバー２０を締めるため又はチンバー２０の円周を減少させるため、レバーがチンバー２０に向かって引かれる又は押される。このように、いくつかの態様に従って、背部バックル３２はヘルメット４の外周の周りで円周方向にチンバーを固定する。ヘルメット４をチンバー２０で円周方向に包み込んだ結果、チンバー２０はいくつかの実施形態において実質的にフープ形状であり得る。フープ形状のチンバー２０は、特定の衝撃に対して他の従来のＵ字形状のチンバーよりも変形に耐える。フープ形状のチンバー２０はまた、多様な衝撃（前部頂部、前部底部、側部等）により耐える。
【００２８】
代替の実施形態において、円周を低減させる背部バックル３２は必要とされない。代わりに、以前から当技術分野で既知のように単にヘルメットに差し込む代わりにチンバー２０がヘルメット４を円周方向に包み込むように、フープ形状のチンバーをヘルメット４に固定する任意の装置が使用され得る。
【００２９】
本開示に従うチンバー２０はまた、上記の背景技術の項で説明されたダウンヒル認定ヘルメットへの改良である通気システムも使用者に提供する。いくつかの実装例において、ヘルメット自体と同様に、取り外し可能なチンバー２０は、複数の通気穴４０（図１及び２で示される）を有する。より具体的には、チンバー４は、位置合わせ突出部３８がヘルメット４の位置合わせ凹み１４と係合されたとき、チンバー２０の位置合わせ通気孔３９がヘルメット４の２つの位置合わせ凹み１４と位置合わせされるように、２つの位置合わせ突出部３８に近位の複数の通気穴４０の２つの位置合わせ通気孔３９を備え得る。かかる構造は、ヘルメット４のチンバー２０の位置上の連結を容易にする。
【００３０】
チンバー２０内の通気穴４０に関して、使用中、使用者の顔の直接正面にそれらがあるように、通気穴４０は取り外し可能なチンバー２０の両側及び取り外し可能なチンバー２０の前部部分２２の前部端部上に形成され得る。しかし、それらは好ましくは互いに隣接し、重なっている。この構造は、通気システムを維持する一方で、使用者の顔の正面により高さのあるチンバー２０を提供する。加えて又は代替として、取り外し可能なチンバー２０のいくつかの実施形態は、各側部上に２つの通気穴４０を備える。
【００３１】
マウンテンバイク用ヘルメットシステム２の他の実施形態は、チンバー２０をヘルメット２０の他の部品に固定するための追加の又は代替的なバックル又は連結具を備え得る。例えば、図１及び３で描写されるように、ヘルメット４の１つ以上の通気穴８は、チンバー２０をヘルメット４に、より確実に取り外し可能に連結するための追加のバックル、ラッチ、連結具、又は他の装置と係合するように配置され得る。これらの追加の取り付け点は、ヘルメット４の外周の周囲のチンバー２０の円周方向の連結部に加えられ得る。様々なバックル、ラッチ、連結部、又は他の装置が使用され得る。図５は、開放位置にあり、チンバー２０から取り外された側部バックル２６の図を提供する。図で示されている側部バックルは、例示的な目的のみのためであり、制限するものではない。したがって、例示的な側部バックル２６は以下でより詳細に説明され、これは、上で説明されたように、チンバー２０をヘルメット４に取り外し可能に連結するために有利に用いられ得る。
【００３２】
いくつかの態様に従って、ヘルメット４上の１つ以上の側部凹み１６は、側部バックル２６のバックル基部４１を受容するように構成されている。ヘルメット４の審美性が変えられず、ヘルメットの空気力学的性質、摩耗性、又はヘルメット４の機能性と干渉し得る、ヘルメット４から延在する突出部を含むためにヘルメット４の外側の外形が拡張されないように、側部凹み１６の大きさ、形状、及び体積が側部バックル２６の体積を実質的に又は完全に収容するような大きさに調節され得る。別の方法としては、側部バックル２６の大きさが実質的に又は完全に側部凹み１６内に適合するように設計され得る。
【００３３】
ヘルメット５０の１つ以上の実施形態は、追加された構造又はヘルメット５０の強化部分を提供するように構成された成形熱可塑性の下部構成要素５２を備える。いくつかの態様に従って、熱可塑性の下部構成要素５２は、１つ以上の複数の通気穴８を囲むように配置される。より具体的には、熱可塑性の下部構成要素５２は、複数の通気穴８の側部凹み１６及び位置合わせ凹み１４を囲むようにヘルメットの外側表面１０上に配置され得る。図４は、２つの熱可塑性の下部構成要素５２のそれぞれが異なる側部凹み１６及び位置合わせ凹み１４を囲んでいる、２つの熱可塑性の下部構成要素５２（１つのみが可視である）を備えるヘルメット５０の非限定的な実施形態を描写する。
【００３４】
図４で示されるように、本明細書で歯受け５４として集合的に称される複数の内側に向いた開口部、空洞、又は空隙が、側部凹み１６内に部分的に配設された側部バックル２６の１つ以上の歯４２を受容する又はそれと連結するために、成形熱可塑性の構成要素５２のような、側部凹み１６と境を接するヘルメット材料内に形成され得る。図４で描写されているヘルメット５０に関して説明される特徴は、他のヘルメット４内の他の凹み１６又は通気孔と同様に他の物体内の他の開口部にも適用可能であることが考えられる。
【００３５】
いくつかの態様に従って、複数の歯受け５４は側部凹み１６に近位のヘルメット４内に配置される。より具体的には、ヘルメット５０は前部歯受け、背部歯受け、及び２つの側部歯受けを備え得る。図５で示されるように、側部バックル２６の基部４１は、歯受け５４と係合するように配置される対応する歯４２を備え得る。１つの歯受けが側部凹み１６の各側部上にある４つの歯受け５４内で係合することによって、２つの対向する直交方向での動作及び係止係合を有する２段アクチュエータ側部バックル２６が適応され得、少なくとも３つの自由度、すなわち前後、左右、並びに前後及び左右方向に対して直交又は横断する方向における移動に対して、移動が抑制され得る。各位置合わせ凹み１４は同様に構成され、配置された歯受け５４を備え得ることが更に考えられる。
【００３６】
加えて、側部バックル２６並びにその変形もまた、カメラマウント、ライト、又は他の特徴などの、任意の所望の物品又はヘルメットへの付属品を取り外し可能に連結するために有利に用いられ得る。バックルをヘルメット通気穴８又は他の同様のアパーチュア内に埋め込むことによって、物品及び装置は、ヘルメットへの最低限の変化を伴って、又は審美的変化なしにヘルメットに取り付けられ得る。例えば、ヘルメット５０のチンバー２０が外れている又は取り付けられていないとき、ヘルメット５０の審美性は、本明細書で説明されるバックルを使用してチンバー２０を受容するように構成されていないヘルメットと、実質的に同一である。同様に、チンバー２０などの付属品がヘルメット５０に取り付けられるとき、全てではないとしてもほとんどのラッチ又は取り付け機構がヘルメットの側部凹み１６内に埋没又は収容されるため、ヘルメット５０の審美性は同様に実質的に影響されない。
【００３７】
図５は、チンバー２０から取り外され、開放位置にある側部バックル２６の非限定的な実施形態を描写する。側部バックル２６の１つ以上の実施形態は、側部バックル２６をヘルメット５０に対してロック又はロック解除するために回転可能に係合され得るレバー３０を備える。レバー３０が上がった又はロック解除位置にある状態で、側部バックル２６がヘルメット５０の側部凹み１６内で取り外し又は挿入され得る。レバー３０がその上がった位置にあるとき、フックがヘルメット５０上の前部受容部２９内から解放されて、その中に配設されないように、フック２８は方に摺動する。
【００３８】
いくつかの態様に従って、レバー３０は、レバー３０がその閉鎖位置（図１で示される）にあるとき、２つの対応している柔軟な梁４５を押す２つの突出部４３を備え得る。柔軟な梁４５は基部４１と共に一体成形されたバックル基部４１の一部であり得る。有利に、バックル基部４１及び柔軟な梁４５は、突出部４３が閉鎖位置にあり、柔軟な梁４５の内側部に向かって押し出されるとき、外向きに移動され、変化され、又は変位される柔軟なエンジニアリングプラスチックで形成され得る。柔軟な梁４５が外向きに押されるとき、側部歯は側部凹み１６の側部歯受けと係合する。同様に、レバー３０がその閉鎖位置へと移動されたとき、ヘルメット５０の前部受容部２９に係合するように、側部バックル２６はフック２８を内側に引き付ける。側部バックル２６の基部４１は、背部歯受けにはめ込むように押され得る背部の静的な歯を更に備え得る。加えて歯４２のいずれかと同様な、背部の静的な歯はまた、動的であり得又はばねで留められ得る。レバー３０が閉鎖位置にあるとき、レバー３０上の２つの突出部４３はバックル基部４１の柔軟な梁４５に向かって押し出され、フック２８はヘルメット５０の前部受容部２９内へ前方又は内側に引き付けられる。バックル基部４１の柔軟な梁４５は、突出部４３が閉鎖位置にあり、柔軟な梁４５の内側部に向かって押し出されるとき、側部歯受け内へと外向きに移動され、変化され、又は変位される。
【００３９】
側部バックル２６によって用いられるものと同様な方法を使用することによって、チンバー２０又は他の装置などのヘルメット付属品は、容易に及び確実に、ヘルメットに着脱可能に連結され得る。加えて、付属品の追加又は取り外しは、バックル及びフックを使用することで、以前に必要とされたように道具を獲得及び使用することに必要な追加の時間及び努力なしで、なされ得る。
【００４０】
本明細書で提供される多くの様々な概念及び詳細な説明は、開示された発明を不明瞭にしないように、様々な構成要素の完全な説明を含まない。本明細書で別段に説明及び除外されない限り、本明細書で開示された実施形態及び実装例は、当業者にとって既知であるいずれの関連のある実施形態及び実装例とも組み合わせて使用され得ることが意図される。
【図１】
2017507258.tif 000003
【図２】
2017507258.tif 000004
【図３】
2017507258.tif 000005
【図４】
2017507258.tif 000006
【図５】
2017507258.tif 000007
【図６】
2017507258.tif 000008
【国際調査報告】
2017507258.tif 000009
2017507258.tif 000010